(57)【要約】【課題】施工時や生産時のマニュアル調整の手間を省き、かつ、フィルタの周波数特性の経時変化にも対応して簡単な操作で或いは自動でフィルタの周波数特性を調整できるようにする。【解決手段】通信線３からの入力信号から減衰周波数帯の信号成分を選択的に減衰させるトラップフィルタ１３と、トラップフィルタ１３の出力信号に含まれる所定周波数帯のＦＭ変調信号を復調して音声信号を出力するＦＭ復調回路１４と、通信線３に減衰周波数帯のノイズ信号を出力するノイズ信号出力回路１１と、周波数特性調整信号を出力する制御部４とを備え、トラップフィルタ１３は、周波数特性調整信号の値に応じて減衰させる周波数が可変に構成されており、制御部４は、トラップフィルタ１３の出力信号の信号強度が最小となる周波数特性調整信号の電圧値を探索する最適値探索機能を具備する通信装置。【選択図】図１
2014192840.tif 000002
【特許請求の範囲】
【請求項１】
通信線からの入力信号から所定の減衰周波数帯の信号成分を選択的に減衰させて出力するためのトラップフィルタと、該トラップフィルタの出力信号に含まれる所定周波数帯のＦＭ変調信号を復調して音声信号を出力するＦＭ復調回路と、前記通信線に前記減衰周波数帯のノイズ信号を出力するノイズ信号出力回路と、周波数特性調整信号を出力する制御部とを備え、
前記トラップフィルタは、前記周波数特性調整信号を入力する周波数特性調整信号入力部を備えるとともに、該入力部に入力される周波数特性調整信号の値に応じて減衰させる周波数が可変に構成されており、
前記制御部は、前記トラップフィルタの出力信号の信号強度が所定条件を満たす周波数特性調整信号の値を探索する最適値探索手段を備えていることを特徴とする通信装置。
【請求項２】
送信音声信号をＦＭ変調してなる第１の周波数帯のＦＭ変調信号を通信線に出力するＦＭ変調回路と、前記通信線からの入力信号から前記第１の周波数帯の信号成分を選択的に減衰させて出力するためのトラップフィルタと、該トラップフィルタの出力信号に含まれる第２の周波数帯のＦＭ変調信号を復調して受信音声信号を出力するＦＭ復調回路と、周波数特性調整信号を出力する制御部とを備え、
前記トラップフィルタは、前記周波数特性調整信号を入力する周波数特性調整信号入力部を備えるとともに、該入力部に入力される周波数特性調整信号の値に応じて減衰させる周波数が可変に構成されており、
前記制御部は、前記トラップフィルタの出力信号の信号強度が所定条件を満たす周波数特性調整信号の値を探索する最適値探索手段を備えていることを特徴とする通信装置。
【請求項３】
第１及び第２の通話器を備え、
第１の通話器は、送信音声信号をＦＭ変調してなる第１の周波数帯のＦＭ変調信号を通信線に出力するＦＭ変調回路と、前記通信線からの入力信号から前記第１の周波数帯の信号成分を選択的に減衰させて出力するためのトラップフィルタと、該トラップフィルタの出力信号に含まれる第２の周波数帯のＦＭ変調信号を復調して受信音声信号を出力するＦＭ復調回路と、周波数特性調整信号を出力する制御部とを備え、
第２の通話器は、送信音声信号をＦＭ変調してなる第２の周波数帯のＦＭ変調信号を通信線に出力するＦＭ変調回路と、前記通信線からの入力信号から前記第２の周波数帯の信号成分を選択的に減衰させて出力するためのトラップフィルタと、該トラップフィルタの出力信号に含まれる第２の周波数帯のＦＭ変調信号を復調して受信音声信号を出力するＦＭ復調回路と、周波数特性調整信号を出力する制御部とを備え、
各トラップフィルタは、前記周波数特性調整信号を入力する周波数特性調整信号入力部を備えるとともに、該入力部に入力される周波数特性調整信号の値に応じて減衰させる周波数が可変に構成されており、
各制御部は、前記トラップフィルタの出力信号の信号強度が所定条件を満たす周波数特性調整信号の値を探索する最適値探索手段と、他方の通話器の制御部との間で制御信号を送受信するための制御信号通信回路とを備え、一方の通話器の制御部が最適値探索手段による探索を行うときは他方の通話器のＦＭ変調回路の出力を停止させるべく両制御部が互いに通信することを特徴とする通信装置。
【請求項４】
請求項１，２又は３に記載の通信装置において、前記所定条件は、前記トラップフィルタの出力信号の信号強度が最小であることとなされていることを特徴とする通信装置。
【発明の詳細な説明】
【技術分野】
【０００１】
本発明は、インターホンなどの通信装置に関する。
【背景技術】
【０００２】
従来より、下記特許文献１及び２に開示されているように、給湯器の浴室リモコンと台所リモコンとの間でインターホン通話ができるように構成された給湯システムが知られている。かかる給湯システムでは、ＡＳＫ変調された制御データを送受するために利用される通信線を介して音声情報も送受できるようにするため、特許文献２には、データ通信用の通信信号をＡＳＫ変調してなるＡＳＫ信号に、インターホン用の音声信号をＦＭ変調してなるＦＭ信号を重畳する方法が開示されている。
【先行技術文献】
【特許文献】
【０００３】
【特許文献１】特開２００４−２１８８４８号公報
【特許文献２】特開２００１−１１９７６４号公報
【発明の概要】
【発明が解決しようとする課題】
【０００４】
近年、ハンズフリーでの双方向同時通話を実現するために、浴室リモコンから台所リモコンに送出される音声信号の周波数帯と、台所リモコンから浴室リモコンに送出される音声信号の周波数帯とを異なる周波数帯とすることにより、単一の信号線で全二重通信を実現することが求められている。
【０００５】
しかし、上記のように異なる周波数を用いて全二重通信を実現した場合、通信中は各リモコンが送出している送信信号（ＦＭ変調信号）が自らの検波回路に入力されてしまい、検波回路の増幅回路などの周波数特性等によって自らが出力する送信信号が受信信号に対するノイズ成分となって、検波後の再生音声に耳障りなノイズが多数生じたり、相手側の音声が不明瞭になる場合がある。
【０００６】
この問題を解消するための方法として、検波回路の入力側にトラップフィルタを設けて、該トラップフィルタによって自らが出力している送信信号を大きく減衰させる方法がある。このトラップフィルタの典型的な回路構成の一例を図３に示しており、このフィルタ回路では、並列に接続されたコイルＬ及びコンデンサＣの共振回路の出力側を抵抗器Ｒを介して接地させ、コイルＬとコンデンサＣの並列共振によって共振周波数のみインピーダンスＺ＝ωＬ／（１−ω2ＬＣ）＝∞となるため出力Ｖｏｕｔ＝Ｖｉｎ×Ｒ／（Ｚ＋Ｒ）＝０となる。一方、共振周波数以外では、インピーダンスＺ＝０であるため、Ｖｏｕｔ＝Ｖｉｎとなる。かかる性質を利用して、図４に示すように共振周波数を送信周波数に合致させることで送信信号を減衰させることにより微小な受信信号でも明瞭に受信可能となる。
【０００７】
しかし、上記フィルタはＬＣ共振回路によって主構成されているため、フィルタを構成するコイルＬやコンデンサＣの周波数特性のばらつきによって、図５に示すように共振周波数が送信周波数より僅かに低くなったり、図６に示すように共振周波数が送信周波数より僅かに高くなって、送信周波数の減衰量が大きく減少してしまう場合がある。したがって、トラップフィルタを構成するコンデンサをバリアブルコンデンサとして、自らの送信信号を的確に減衰させることができるようにバリアブルコンデンサをマニュアル調整する必要がある。（具体的には、施工時に施工業者が調整を実施したり、生産時に生産工程にて調整を実施する。）
【０００８】
かかる調整作業には時間を要し施工工事コストや生産コストの上昇の原因になるとともに、また、調整後の経時変化や雰囲気温度の変動等によってトラップフィルタの周波数特性が変動するとノイズが増加してしまい、苦情の対象になってしまうという問題がある。
【０００９】
そこで、本発明は、音声信号を異なる周波数帯でＦＭ変調することで全二重通信を行う通信装置において、施工時のマニュアル調整の手間を省き、かつ、フィルタの周波数特性の経時変化にも対応して簡単な操作で或いは自動でフィルタの周波数特性を調整できるようにすることを目的とする。
【課題を解決するための手段】
【００１０】
上記目的を達成するために、本発明は、次の技術的手段を講じた。
【００１１】
すなわち、本発明の請求項１に係る通信装置は、通信線からの入力信号から所定の減衰周波数帯の信号成分を選択的に減衰させて出力するためのトラップフィルタと、該トラップフィルタの出力信号に含まれる所定周波数帯（受信周波数帯）のＦＭ変調信号を復調して音声信号を出力するＦＭ復調回路と、前記通信線に前記減衰周波数帯のノイズ信号を出力するノイズ信号出力回路と、周波数特性調整信号を出力する制御部とを備え、前記トラップフィルタは、前記周波数特性調整信号を入力する周波数特性調整信号入力部を備えるとともに、該入力部に入力される周波数特性調整信号の値に応じて減衰させる周波数が可変に構成されており、前記制御部は、前記トラップフィルタの出力信号の信号強度が所定条件を満たす周波数特性調整信号の値を探索する最適値探索手段を備えていることを特徴とするものである。
【００１２】
なお、ノイズ信号出力回路は、送信音声信号をＦＭ変調してなるＦＭ変調信号（送信信号）を通信線に出力するＦＭ変調回路であってよく、該ＦＭ変調回路のＦＭ変調信号をノイズ信号としてトラップフィルタで減衰させるものであってよい。また、通信線に混信するＡＭラジオなどのノイズ信号を減衰させるために本発明を適用することも可能である。
【００１３】
かかる本発明の通信装置によれば、制御部が出力する周波数特性調整信号によってトラップフィルタが減衰する周波数の調整制御を行うことができ、最適値探索手段による探索を、適当なタイミング（例えば施工後の初回起動時や電源投入時など）に行われるように制御構成したり、操作パネルの操作によって探索が実行されるように制御構成して、ノイズ信号出力回路からノイズ信号を通信線に出力しつつトラップフィルタの出力信号の信号強度が所定条件を満たす周波数特性調整信号の値（例えば、信号強度が最小となる値）を探索することにより、自動的に或いは簡単な操作で短時間で周波数特性調整信号の値を最適な値に設定して、図３に示すように減衰周波数をノイズ信号の周波数に合致させて的確にノイズ信号を減衰させ、ＦＭ復調回路が出力する音声信号へのノイズ混入を大きく低減することができる。なお、周波数特性調整信号の値を最適値に設定した後は、次回の探索が行われるまで当該最適値を保持させることが好ましい。
【００１４】
また、本発明の請求項２に係る通信装置は、送信音声信号をＦＭ変調してなる第１の周波数帯（送信周波数帯）のＦＭ変調信号を通信線に出力するＦＭ変調回路と、前記通信線からの入力信号から前記第１の周波数帯の信号成分を選択的に減衰させて出力するためのトラップフィルタと、該トラップフィルタの出力信号に含まれる第２の周波数帯（受信周波数帯）のＦＭ変調信号を復調して受信音声信号を出力するＦＭ復調回路と、周波数特性調整信号を出力する制御部とを備え、前記トラップフィルタは、前記周波数特性調整信号を入力する周波数特性調整信号入力部を備えるとともに、該入力部に入力される周波数特性調整信号の値に応じて減衰させる周波数が可変に構成されており、前記制御部は、前記トラップフィルタの出力信号の信号強度が所定条件を満たす周波数特性調整信号の値を探索する最適値探索手段を備えていることを特徴とするものである。
【００１５】
かかる本発明の通信装置によれば、上記請求項１の作用効果に加え、送信周波数帯と受信周波数帯とを異なる周波数帯とすることによって単一の通信線によって全二重通信を行うことができるものでありながら、トラップフィルタの減衰周波数を送信周波数に合致させて的確に送信信号（ノイズ信号）を減衰させ、ＦＭ復調回路が出力する音声信号へのノイズ混入を大きく低減することができる。
【００１６】
また、本発明の請求項３に係る通信装置は、第１及び第２の通話器を備え、第１の通話器は、送信音声信号をＦＭ変調してなる第１の周波数帯のＦＭ変調信号を通信線に出力するＦＭ変調回路と、前記通信線からの入力信号から前記第１の周波数帯の信号成分を選択的に減衰させて出力するためのトラップフィルタと、該トラップフィルタの出力信号に含まれる第２の周波数帯のＦＭ変調信号を復調して受信音声信号を出力するＦＭ復調回路と、周波数特性調整信号を出力する制御部とを備え、第２の通話器は、送信音声信号をＦＭ変調してなる第２の周波数帯のＦＭ変調信号を通信線に出力するＦＭ変調回路と、前記通信線からの入力信号から前記第２の周波数帯の信号成分を選択的に減衰させて出力するためのトラップフィルタと、該トラップフィルタの出力信号に含まれる第２の周波数帯のＦＭ変調信号を復調して受信音声信号を出力するＦＭ復調回路と、周波数特性調整信号を出力する制御部とを備え、各トラップフィルタは、前記周波数特性調整信号を入力する周波数特性調整信号入力部を備えるとともに、該入力部に入力される周波数特性調整信号の値に応じて減衰させる周波数が可変に構成されており、各制御部は、前記トラップフィルタの出力信号の信号強度が所定条件を満たす周波数特性調整信号の値を探索する最適値探索手段と、他方の通話器の制御部との間で制御信号を送受信するための制御信号通信回路とを備え、一方の通話器の制御部が最適値探索手段による探索を行うときは他方の通話器のＦＭ変調回路の出力を停止させるべく両制御部が互いに通信することを特徴とするものである。
【００１７】
かかる本発明の通信装置によれば、上記請求項１及び２の作用効果に加え、第１及び第２の通話器によって全二重通信によるハンズフリー通話を行うことができるものでありながら、一方の通話器から他方の通話器に送信するために通信線に出力するＦＭ変調信号が自らのＦＭ復調回路に入力されてしまうことをトラップフィルタによって防止して、他方の通話器から受信するＦＭ変調信号が微弱であってもＦＭ復調回路によって明瞭な受信音声信号として復調することができる。さらに、一方の制御部が最適値探索手段による探索を行う際に、両制御部が互いに通信することによって他方の制御部によって他方の通話器のＦＭ変調回路の出力を停止することにより、探索時にトラップフィルタに入力される信号成分をノイズ成分、即ち自らのＦＭ変調回路が出力する送信ＦＭ変調信号成分のみとして、上記探索の正確性を向上できる。
【００１８】
上記各通信装置において、前記所定条件は、前記トラップフィルタの出力信号の信号強度が最小であることとすることができる（請求項４）。これによれば、ノイズ信号出力回路（自らのＦＭ変調回路）がノイズ信号（自らのＦＭ変調回路が出力するＦＭ変調信号）を通信線に出力している状態でトラップフィルタの出力信号の信号強度が最小となるようにトラップフィルタの周波数特性が調整されることで、ノイズ信号の減衰量を最大にすることができる。
【発明の効果】
【００１９】
以上説明したように、本発明の請求項１に係る通信装置によれば、制御部が出力する周波数特性調整信号によってトラップフィルタが減衰する周波数の調整制御を行うことができ、最適値探索手段による探索を、適当なタイミング（例えば施工後の初回起動時や電源投入時など）に行われるように制御構成したり、操作パネルの操作によって探索が実行されるように制御構成して、ノイズ信号出力回路からノイズ信号を通信線に出力しつつトラップフィルタの出力信号の信号強度が所定条件を満たす周波数特性調整信号の値（例えば、信号強度が最小となる値）を探索することにより、自動的に或いは簡単な操作で短時間で周波数特性調整信号の値を最適な値に設定して、図３に示すように減衰周波数をノイズ信号の周波数に合致させて的確にノイズ信号を減衰させ、ＦＭ復調回路が出力する音声信号へのノイズ混入を大きく低減することができる。
【００２０】
さらに、本発明の請求項２に係る通信装置によれば、送信周波数帯と受信周波数帯とを異なる周波数帯とすることによって単一の通信線によって全二重通信を行うことができるものでありながら、トラップフィルタの減衰周波数を送信周波数に合致させて的確に送信信号（ノイズ信号）を減衰させ、ＦＭ復調回路が出力する音声信号へのノイズ混入を大きく低減することができる。
【００２１】
さらに、本発明の請求項３に係る通信装置によれば、第１及び第２の通話器によって全二重通信によるハンズフリー通話を行うことができるものでありながら、一方の通話器から他方の通話器に送信するために通信線に出力するＦＭ変調信号が自らのＦＭ復調回路に入力されてしまうことをトラップフィルタによって防止して、他方の通話器から受信するＦＭ変調信号が微弱であってもＦＭ復調回路によって明瞭な受信音声信号として復調することができる。さらに、一方の制御部が最適値探索手段による探索を行う際に、両制御部が互いに通信することによって他方の制御部によって他方の通話器のＦＭ変調回路の出力を停止することにより、探索時にトラップフィルタに入力される信号成分をノイズ成分、即ち自らのＦＭ変調回路が出力する送信ＦＭ変調信号成分のみとして、上記探索の正確性を向上できる。
【００２２】
また、本発明の請求項４に係る通信装置によれば、ノイズ信号出力回路（自らのＦＭ変調回路）がノイズ信号（自らのＦＭ変調回路が出力するＦＭ変調信号）を通信線に出力している状態でトラップフィルタの出力信号の信号強度が最小となるようにトラップフィルタの周波数特性が調整されることで、ノイズ信号の減衰量を最大にすることができる。
【図面の簡単な説明】
【００２３】
【図１】本発明の一実施形態に係る通信装置の概略ブロック構成図である。
【図２】同通信装置のトラップフィルタの一実施例の回路図である。
【図３】一般的なトラップフィルタの回路図である。
【図４】トラップフィルタの周波数特性を示すグラフである。
【図５】トラップフィルタの周波数特性を示すグラフである。
【図６】トラップフィルタの周波数特性を示すグラフである。
【発明を実施するための形態】
【００２４】
以下、本発明の好適な実施形態を図面に基づいて説明する。
【００２５】
図１は、本発明の一実施形態に係る通信装置を示しており、該通信装置は、風呂機能を備えた給湯器の遠隔操作に用いられるリモコンシステムに組み込まれたものとして構成され、台所など浴室以外の場所に設置される台所リモコン１（第１の通話器）と、浴室に設置される浴室リモコン２（第２の通話器）とによって主構成されている。なお、これら台所リモコン１と浴室リモコン２は、給湯器（図示せず）を介して通信接続されている。具体的には、各リモコン１，２に接続される２芯の通信線３が給湯器の端子台などを介して相互に接続されることによって、台所リモコン１と浴室リモコン２とが通信接続されている。
【００２６】
台所リモコン１及び浴室リモコン２は、いずれも給湯器の遠隔操作のために設けられた遠隔操作装置であって、マイコン４（制御部）と、マイコン４が給湯器や他のリモコンのマイコン４との間で通信線３を介して制御信号を送受信するための制御信号通信回路５と、マイク６から入力された送信音声信号をＦＭ変調して通信線３に出力するＦＭ送信回路７と、通信線３からの入力信号から他のリモコンからの受信音声信号を復調してスピーカ８に出力するＦＭ受信回路９とを備えている。
【００２７】
マイコン４は、各リモコン１，２において、給湯器の遠隔操作機能、各種情報表示機能、ハンズフリー音声通話機能などの各種機能を実現するために必要なデータの記憶やプログラムの処理や入出力制御などを行うものであって、演算器及び内部メモリを内蔵するとともに、複数のデジタルデータ入出力ポートを備えている。また、マイコン４にはＲＯＭやＲＡＭなどの外部メモリを接続し、上記プログラムや必要なデータは外部メモリに記憶しておき、必要に応じて内部メモリにロードされるようになっている。また、マイコン４は、Ｄ／Ａ変換器を介してアナログデータとしての指令電圧値を出力するアナログデータ出力ポートを設けることができる。なお、Ｄ／Ａ変換器はマイコン４に内蔵していてもよいし、デジタルデータ入出力ポートを介して外付けのＤ／Ａ変換器を接続することもできる。
【００２８】
制御信号通信回路５は、通信線３を介して給湯器の制御部及びリモコン１，２のマイコン４同士で相互に制御信号を送受信するために設けられたものであって、マイコン４のデジタルデータ入出力ポートに接続され、該ポートから出力された制御信号に基づいて所定の搬送周波数（例えば２５０ｋＨｚ）の搬送波をＡＳＫ変調して通信線３に出力するとともに、給湯器や他のリモコンから送出されたＡＳＫ変調信号を復調してマイコン４のデジタルデータ入出力ポートに供給することによって、台所リモコン１のマイコン４は給湯器のコントローラ（制御部）や浴室リモコン２のマイコン４と制御信号の送受信ができるようになっており、また同様に、浴室リモコン２のマイコン４も給湯器のコントローラや台所リモコン１のマイコン４と制御信号の送受信ができるようになっている。
【００２９】
ＦＭ送信回路７及びＦＭ受信回路９は、台所リモコン１と浴室リモコン２との間で全二重通信によるハンズフリーインターホン通話（音声通話）を行うために設けられた通信手段である。
【００３０】
各リモコン１，２のＦＭ送信回路７は、インターホン通話時に音声を入力するためのマイク９で電気信号に変換された送信音声信号を増幅するマイクアンプ１０と、マイクアンプ１０で増幅された音声信号を周波数変調して所定周波数帯のＦＭ変調信号を出力するＦＭ変調回路１１と、ＦＭ変調信号を増幅して通信線３に出力するバッファアンプ１２とを備えている。
【００３１】
一方、リモコン１，２のＦＭ受信回路８は、通信線３からの入力信号から所定の減衰周波数帯のノイズ信号成分を選択的に減衰させて出力するためのトラップフィルタ１３と、フィルタ１３の出力信号からに含まれる所定周波数帯のＦＭ変調信号を検波して復調するＦＭ復調回路１４と、ＦＭ復調回路１４で復調された受信音声信号を増幅するスピーカアンプ１５とを備え、スピーカアンプ１５で増幅された音声信号はスピーカ１６によって外部に聴取可能な音響として出力されるようになっている。なお、ＦＭ変調回路１１及びＦＭ復調回路１５は従来公知の種々の回路構成とすることができ、例えばＦＭ変調回路１１は電圧制御発信器（ＶＣＯ）によって構成することができ、ＦＭ復調回路１５はスーパーへテロダイン方式の回路構成とすることができる。
【００３２】
本実施形態では、全二重通信を実現するために、台所リモコン１のＦＭ変調回路１１における搬送周波数と浴室リモコン２のＦＭ変調回路１１における搬送周波数とが異なる周波数となされ、台所リモコン１のＦＭ変調回路１１が出力するＦＭ変調信号の周波数帯は帯域０．５ＭＨｚの２．３ＭＨｚ帯（第１の周波数帯）となされ、浴室リモコン２のＦＭ変調回路１１が出力するＦＭ変調信号の周波数帯は帯域０．５ＭＨｚの２．８ＭＨｚ（第２の周波数帯）となされている。
【００３３】
一方、台所リモコン１のＦＭ復調回路１４は、浴室リモコン２のＦＭ変調回路１１が出力する２．８ＭＨｚ帯ＦＭ変調信号を検波・復調するように構成されるとともに、台所リモコン１のトラップフィルタ１３は、台所リモコン１のＦＭ変調回路１１が出力する２．３ＭＨｚ帯ＦＭ変調信号をノイズ信号として減衰除去するように構成されている。同様に、浴室リモコン２のＦＭ復調回路１４は、台所リモコン１のＦＭ変調回路１１が出力する２．３ＭＨｚ帯ＦＭ変調信号を検波・復調するように構成されるとともに、浴室リモコン２のトラップフィルタ１３は、浴室リモコン２のＦＭ変調回路１１が出力する２．８ＭＨｚ帯ＦＭ変調信号をノイズ信号として減衰除去するように構成されている。
【００３４】
これにより、インターホン通話状態においては、通話切替操作が不要となり、台所リモコン１のＦＭ送信回路７が出力する２．３ＭＨｚ帯ＦＭ変調信号は浴室リモコン２のＦＭ受信回路９によって復調されることによって、台所リモコン１のマイク６から入力された音声信号が浴室リモコン２のスピーカ８から再生出力されるとともに、浴室リモコン２のＦＭ送信回路７が出力する２．８ＭＨｚ帯ＦＭ変調信号は台所リモコン１のＦＭ受信回路９によって復調されることによって、浴室リモコン２のマイク６から入力された音声信号が台所リモコン１のスピーカ８から再生出力されるようになっている。なお、インターホン通話は、いずれかのリモコン１，２において通話開始操作を行うことによって開始され、かかる通話状態は所定時間（例えば３０秒）継続するか或いは通話終了操作を行うことによって終了するように構成できる。
【００３５】
各リモコン１，２のトラップフィルタ１３は、図２に示すように、コイル１６と、該コイル１６に直列に接続されたコンデンサ１７と、コイル１６及びコンデンサ１７に並列に接続されたコンデンサ１８及びバリキャップ１９とを備え、該コンデンサ１８及びバリキャップ１９は直列に接続されており、これらコイル１６、コンデンサ１７，１８及びバリキャップ１９からなるＬＣ回路によりトラップフィルタ（バンドストップフィルタ）が構成されている。台所リモコン１のトラップフィルタ１３では２．３ＭＨｚ帯ＦＭ変調信号（送信信号）を減衰させるように構成されている。一方、浴室リモコン２のトラップフィルタ１３では、２．８ＭＨｚ帯ＦＭ変調信号（送信信号）を減衰させるように構成されている。
【００３６】
また、バリキャップ１９は逆電圧を印加することによって容量が可変であるため、バリキャップ１９の逆電圧を、マイコン４のアナログ出力ポートから供給される電圧やデジタル出力ポートから出力されるＰＷＭ信号などの周波数特性調整信号によって変動させることでバンドストップフィルタの共振周波数を微調整することができるようになっている。具体的には、周波数特性調整信号の電圧値は例えば０〜５Ｖまで可変出力できるようにマイコンを構成でき、この周波数特性調整信号が、コンデンサ１８とバリキャップ１９との間の周波数特性調整信号入力部２０に入力されている。そして、周波数特性調整信号の電圧値を変動させることによって、トラップフィルタ１３による減衰周波数帯域が±１．０ＭＨｚ程度の範囲で調整される。
【００３７】
一方、ＦＭ復調回路１４は、市販のＦＭ検波ＩＣによって主構成することができ、ＦＭ検波ＩＣの多くはＲＳＳＩ（受信信号強度測定回路）が内蔵されており、ＲＳＳＩ出力端子が設けられている。本実施形態では、このＲＳＳＩ出力をマイコン４に入力することによって、フィルタ１３の出力信号の信号強度情報をマイコン４に供給している。
【００３８】
また、所定のタイミングでマイコン４によって実行される最適値探索プログラム（最適値探索手段）が外部メモリに記憶されており、探索実行操作が行われたり、リモコン１，２の電源投入時や一定時間リモコン１，２の操作がなされなかったときなどに、最適値探索プログラムの実行によって、トラップフィルタ１３の出力信号の信号強度が最小となる周波数特性調整信号の電圧値を探索して、当該電圧値を記憶しておき、インターホン通話時に周波数特性調整信号として記憶された電圧値を出力するように構成されている。なお、リモコン１，２の一方で探索実行操作がなされた場合、一方の探索が終わると他方の探索を開始するように、両マイコン４が互いに通信するように構成しておくことが好ましい。また、探索方法は適宜のものであってよいが、例えば、リモコン１，２の一方のマイコン４が探索を行うとき、その一方のリモコンのＦＭ変調回路から変調信号を出力しつつ、周波数特性調整信号を最小値から最大値までスイープして、その過程において上記ＲＳＳＩ出力値が最小となる周波数特性調整信号の電圧値を最適値として記憶することができる。
【００３９】
さらに、本実施形態では、リモコン１，２の一方のマイコン４が上記探索を行うときは、その旨を示す制御信号を他方のマイコン４に通信によって送信し、当該制御信号を受信した他方のマイコン４は他方のＦＭ変調回路１１の出力を強制的に停止するように構成されており、これにより、探索を行うときはノイズ信号成分としての自らのＦＭ変調回路１１が出力するＦＭ変調信号のみが通信線３に供給されるようにして、探索の正確性を向上している。なお、ＦＭ変調回路１１の出力停止は、例えばＦＭ変調回路１１に設けたスイッチング素子などの適宜の方法で行うことができる。
【００４０】
本実施形態によれば、トラップフィルタ１３の共振周波数を微調整可能であるので、自らの送信信号減衰用のトラップフィルタ１３の周波数特性のばらつきによる受信感度劣化を抑制することができる。また、トラップフィルタ１３の共振周波数をマイコン４によって制御可能であるため、ケーシングした（分解できない）リモコンでも再調整可能である。さらに、マイコン４にＲＳＳＩ出力を供給することによって、共振周波数の自動調整を行うことができる。
【００４１】
本発明は上記実施形態に限定されるものではなく、適宜設計変更できる。例えば、自らのＦＭ変調信号以外のノイズ信号、例えば通信線３に混信するＡＭラジオ信号などのノイズ除去のために、トラップフィルタをＡＭラジオ信号の周波数帯を減衰させるように構成するとともに、各リモコン１，２の操作に応じてマイコン４がトラップフィルタの減衰周波数帯域を微調整するように構成することもできる。また、本発明の通信装置は必ずしもＦＭ変調回路を備えていなくてもよく、また、半二重通信方式のインターホンの各種ノイズ除去に利用することも可能である。
【符号の説明】
【００４２】
１  第１の通話器（台所リモコン）
２  第２の通話器（浴室リモコン）
３  通信線
４  制御部（マイコン）
５  制御信号通信回路
１１  ＦＭ変調回路（ノイズ信号出力回路）
１３  トラップフィルタ
１４  ＦＭ復調回路
【図１】
2014192840.tif 000003
【図２】
2014192840.tif 000004
【図３】
2014192840.tif 000005
【図４】
2014192840.tif 000006
【図５】
2014192840.tif 000007
【図６】
2014192840.tif 000008